(57)【特許請求の範囲】
【請求項１】
複数チヤンネルの番組の中からユーザによつて選択された上記番組の選択履歴情報を取得する番組選択履歴情報取得装置において、
上記複数チャンネルの上記番組の中から上記ユーザによつて選択された上記番組のチャンネルナンバ情報及び選択された時点の時刻情報と、上記ユーザによつて選択された上記番組の視聴形態を示す複数の付加情報とを上記番組の選択履歴情報として記憶する記憶手段と、
上記ユーザによつて上記番組の選択履歴情報を所定のセンタに対して送信するための設定操作に応じて、上記センタにおいて登録されるための上記ユーザを特定するユーザ識別番号を上記センタに対して送信することにより、上記センタに対し上記番組の選択履歴情報を自動的に送信するための送信設定の登録を行う識別番号登録手段と、
上記送信設定の登録が行われている場合、上記センタからの転送要求がなくても上記番組の選択履歴情報を所定時間ごとに上記記憶手段から取得し、当該取得した上記番組の選択履歴情報を所定の時刻に1つのデータ単位として所定の送信手段を介し上記センタに対して自動的に送信する選択履歴情報送信手段と
を具えることを特徴とする番組選択履歴情報取得装置。
【請求項２】
上記番組の選択開始時間を検出する検出手段と、
上記選択開始時間と共に上記番組の録画を開始する番組録画手段と、
上記記憶手段は、上記番組の選択開始時間と上記番組録画手段によつて録画された番組とを上記視聴履歴として記憶する
ことを特徴とする請求項１に記載の番組選択履歴情報取得装置。
【請求項３】
上記選択履歴情報は、上記チャンネルナンバ情報、上記時刻情報及び上記付加情報を一つに集合したサンプルデータとして形成された複数の当該サンプルデータから構成される
ことを特徴とする請求項１に記載の番組選択履歴情報取得装置。
【請求項４】
上記サンプルデータは、所定の時刻ごとに取得され上記記憶手段に記憶される
ことを特徴とする請求項３に記載の番組選択履歴情報取得装置。
【請求項５】
上記番組選択履歴情報取得装置に対して予め定められた固有のキー情報を格納するキー情報格納手段と、
上記固有の上記キー情報に基づいて上記選択履歴情報を構成する上記付加情報、上記時刻情報及び上記チャンネルナンバ情報の各々に対し暗号化処理を施すことによつて暗号化選択履歴情報を生成する暗号化選択履歴情報生成手段と、
上記固有の上記キー情報に基づいて当該固有の当該キー情報に対して暗号化処理を施すことによつて暗号化キー情報を生成する暗号化キー情報生成手段とを具え、
選択履歴情報送信手段によつて、上記暗号化選択履歴情報及び上記暗号化キー情報を上記センターに送信する
ことを特徴とする請求項１に記載の番組選択履歴情報取得装置。
【請求項６】
複数チヤンネルの番組の中からユーザによつて選択された上記番組の選択履歴情報を取得する番組選択履歴情報取得方法において、
記憶手段に上記複数チャンネルの上記番組の中から上記ユーザによつて選択された上記番組のチャンネルナンバ情報及び選択された時点の時刻情報と、上記ユーザによつて選択された上記番組の視聴形態を示す複数の付加情報とを上記番組の選択履歴情報として記憶させる記憶ステップと、
上記ユーザによつて上記番組の選択履歴情報を所定のセンタに対して送信するための設定操作に応じて、上記センタにおいて登録されるための上記ユーザを特定するユーザ識別番号を上記センタに対して送信することにより、上記センタに対し上記番組の選択履歴情報を自動的に送信するための送信設定の登録を行う識別番号登録ステップと、
上記送信設定の登録が行われている場合、上記センタからの転送要求がなくても上記番組の選択履歴情報を所定時間ごとに上記記憶手段から取得し、当該取得した上記番組の選択履歴情報を所定の時刻に1つのデータ単位として所定の送信手段を介し上記センタに対して自動的に送信する選択履歴情報送信ステップと
を具えることを特徴とする番組選択履歴情報取得方法。
【請求項７】
上記番組選択履歴情報取得装置に対して予め定められた固有のキー情報を格納するキー情報格納ステップと、
上記固有の上記キー情報に基づいて上記選択履歴情報を構成する上記付加情報、上記時刻情報及び上記チャンネルナンバ情報の各々に対し暗号化処理を施すことによつて暗号化選択履歴情報を生成する暗号化選択履歴情報生成ステップと、
上記固有の上記キー情報に基づいて当該固有の当該キー情報に対して暗号化処理を施すことによつて暗号化キー情報を生成する暗号化キー情報生成ステップとを具え、
選択履歴情報送信ステップによつて、上記暗号化選択履歴情報及び上記暗号化キー情報を上記センターに送信する
ことを特徴とする請求項６に記載の番組選択履歴情報取得方法。
【請求項８】
複数チャンネル分のトランスポートストリームが多重化されて送信されるデータストリームを受信する受信手段と、
上記受信手段によつて受信されたデータストリームに対し、ユーザによつて選択されたチャンネルの番組データを分離する分離手段と、
上記複数チャンネルの上記番組の中から上記ユーザによつて選択された上記番組のチャンネルナンバ情報及び選択された時点の時刻情報と、上記ユーザによつて選択された上記番組の視聴形態を示す複数の付加情報とを上記番組の選択履歴情報として記憶する記憶手段と、
上記ユーザによつて上記番組の選択履歴情報を所定のセンタに対して送信するための設定操作に応じて、上記センタにおいて登録されるための上記ユーザを特定するユーザ識別番号を上記センタに対して送信することにより、上記センタに対し上記番組の選択履歴情報を自動的に送信するための送信設定の登録を行う識別番号登録手段と、
上記送信設定の登録が行われている場合、上記センタからの転送要求がなくても上記番組の選択履歴情報を所定時間ごとに上記記憶手段から取得し、当該取得した上記番組の選択履歴情報を所定の時刻に1つのデータ単位として所定の送信手段を介し上記センタに対して自動的に送信する選択履歴情報送信手段と
を具えることを特徴とする受信装置。
【発明の詳細な説明】
【０００１】
【発明の属する技術分野】
本発明は番組選択履歴情報取得装置及びその方法に関し、例えば衛星放送におけるテレビジヨン番組の視聴率データを記憶して送信する番組選択履歴情報取得装置及びその方法に適用して好適なものである。
【０００２】
【従来の技術】
従来、放送局から放映されているテレビ番組の視聴率は、特定の視聴率調査システムによつて例えば約５００〜６００世帯のサンプル数を基に調査されている。視聴率調査システムは、視聴者のテレビジヨン受信器に取り付けられた特定の記憶装置によつて所定の時間間隔ごとにチヤンネルナンバ情報と選択された時刻を表す時刻情報とからなる視聴率データを記憶し、当該視聴率データを個々の記憶装置ごとに所定の集計センタに転送することにより集計する。そして集計センタは、このようにして集計した視聴率データを基に番組ごとの視聴率結果を算出し、これを放送事業者や番組制作会社に通知する。
【０００３】
放送事業者は、番組ごとの視聴率結果を基に番組の継続や打ち切りを考慮すると共に、番組の合間にコマーシヤルを放送しているスポンサー会社に対して視聴率結果を報告することにより、スポンサー契約の続行や、当該視聴率結果を基に新たにコマーシヤルを放送するスポンサー会社の発掘を行う。また番組制作会社においては、視聴率結果を基に番組の人気の度合いを判断し、次に制作する新たな番組の内容を検討する。
【０００４】
このように放送事業者や番組制作会社にとつては、視聴率結果が大変重要な要因となつており、この視聴率結果が極力多くの視聴者の視聴率データを基に算出されることが望まれている。
【０００５】
例えば、近年においては通信衛星を用いた衛星放送が実現化されており、このような衛星放送によつてデイジタル化されたテレビジヨン信号を受信するものとしてＩＲＤ（Integrated Receiver Decoder ）と呼ばれる受信装置がある。このＩＲＤは、放送局から所定の画像圧縮方法によつて符号化されて放送される多数の番組を通信衛星を介して選択的に受信し得るようになされており、ユーザによつて選択された番組を内部のデコーダを介して復号することによりモニタに表示するようになされている。
【０００６】
【発明が解決しようとする課題】
ところでかかる構成のＩＲＤにおいては、ＩＲＤの外部に取り付けられた特定の記憶装置によつて視聴率データを記憶し、視聴率の集計センタからの転送要求に応じて視聴率データを送信するようになされていることにより、集計センタでは各世帯ごとに視聴率データの転送要求を送信しなければならず、集計作業が煩雑になるという問題があつた。
【０００７】
また、従来の視聴率データとしては視聴時刻及びその番組チヤンネルといつた簡単なデータのみから構成されており、当該視聴率データによつて視聴者の詳細な視聴状態を集計することが困難であつた。
【０００８】
本発明は以上の点を考慮してなされたもので、集計側にとつて視聴者の詳細な視聴状態を容易にかつ安全に集計し得る番組選択履歴情報取得装置及びその方法を提案しようとするものである。
【０００９】
【課題を解決するための手段】
かかる課題を解決するため本発明においては、複数チヤンネルの番組の中からユーザによつて選択された番組の選択履歴情報を取得する番組選択履歴情報取得装置において、複数チャンネルの番組の中からユーザによつて選択された番組のチャンネルナンバ情報及び選択された時点の時刻情報と、ユーザによつて選択された番組の視聴形態を示す複数の付加情報とを番組の選択履歴情報として記憶する記憶手段と、ユーザによつて番組の選択履歴情報を所定のセンタに対して送信するための設定操作に応じて、センタにおいて登録されるためのユーザを特定するユーザ識別番号をセンタに対して送信することにより、センタに対し番組の選択履歴情報を自動的に送信するための送信設定の登録を行う識別番号登録手段と、送信設定の登録が行われている場合、センタからの転送要求がなくても番組の選択履歴情報を所定時間ごとに記憶手段から取得し、当該取得した上記番組の選択履歴情報を所定の時刻に1つのデータ単位として所定の送信手段を介しセンタに対して自動的に送信するようにする。
【００１０】
この結果、センタから各ユーザに対して選択履歴情報の転送要求の命令を受けなくても、ユーザが選択した番組の選択履歴情報を所定の時刻に所定の送信手段を介してセンタに対して自動的に送信することができる。
【００１１】
また、ユーザによつて選択された番組の視聴形態を示す付加情報も送信するため、ユーザが選択した視聴形態も含めてセンタに対して送信することが可能であり、ユーザが選択した番組のチャンネルナンバ情報及び選択され時点の時刻情報だけでなくユーザが選択した視聴形態も正確に記録しセンタに対し所定の時刻に送信し得る。
さらに、ユーザが選択した番組のチャンネルナンバ情報、時刻情報及び付加情報の各々に対し暗号化処理を施し、キー情報に対しても暗号化処理を施してセンタに送信するようにしたことにより、ユーザ選択した番組のチャンネルナンバ情報、時刻情報及び付加情報を安全にセンタに対して送信することができる。
【００１２】
【発明の実施の形態】
以下図面について、本発明の一実施の形態を詳述する。
【００１３】
（１）第１の実施の形態
図１において１は全体として視聴率調査システムを示し、放送事業者（放送局）２は、映像データ及び音声データをＭＰＥＧ２等の所定の符号化方式でそれぞれ圧縮符号化してパケツト化することによりトランスポートストリームを生成する。続いて放送事業者２は、生成した複数チヤンネル分のトランスポートストリームをパケツト多重化し、これにより得られる多重化ビツトストリームを所定の変調方式で変調処理した後、これを送信データＤ１として例えば１０[GHz] の周波数帯で通信衛星３に送信する。
【００１４】
通信衛星３は、送信されてきた送信データＤ１を受信し、当該送信データＤ１をトランスポンダ（図示せず）によつて所定レベルに増幅すると共に、例えば１[GHz] の周波数帯に周波数変換することにより送信データＤ２を生成し、これを地上の各ユーザ宅４Ａ〜４Ｚに送信する。
【００１５】
例えばユーザ宅４Ａに設けられたアンテナ６Ａは、送信データＤ２を受信し、これを復調処理することにより得られる受信データストリームＤ３を受信装置（ＩＲＤ）５に送信する。ＩＲＤ５は、受信データストリームＤ３を多重分離及び復号することにより番組の映像データ及び音声データを復元し、モニタ（図示せず）を介して映像を表示すると共にスピーカ（図示せず）を介して音声を出力する。
【００１６】
このときＩＲＤ５は、ユーザによつて選択されて試聴された番組の選択履歴情報としての視聴率データを内部メモリに記憶し、１日分の視聴率データＤ４が蓄積されると、所定の時間帯に公衆電話回線網７を経由して視聴率の集計センタ８に１日分の視聴率データＤ４を毎日自動的に送信するようになされている。ここで視聴率データＤ４とは、ユーザが試聴した番組の時刻情報（ｔ１）及びチヤンネルナンバ（ＣＨNO）である。
【００１７】
集計センタ８は、送られてきたサンプル世帯数（この実施の形態の場合 15000世帯）全ての１日分の視聴率データＤ４を基に番組ごとの視聴率結果を算出し、この視聴率結果データＤ５を速やかに放送事業者（放送局）２に通知する
【００１８】
図２に示すように、本発明による番組選択履歴情報取得装置を有する受信装置（ＩＲＤ）５は、まずプラグを介してＡＣコンセント（図示せず）に接続された電源回路１０よつて電源が供給されてＣＰＵ(Central Processing Unit) ２２が立ち上げられると、当該ＣＰＵ２２がユーザのリモコン２７による操作に応じた処理を実行するようになされている。
【００１９】
このＣＰＵ２２は、ユーザのリモコン２７から出力されたチヤンネルナンバを表すリモコン信号Ｓ１をリモコン信号受光部２８によつて受光し、これをリモコン信号Ｓ２として入力する。ＣＰＵ２２は、入力したリモコン信号Ｓ２に応じたチヤンネル選択信号Ｓ３を生成し、これをフロントエンド部１１に供給する。
【００２０】
フロントエンド部１１は、アンテナ６を介して受信した受信データストリームＤ３を入力し、通信衛星３のトランスポンダ（図示せず）から送信されている受信データストリームＤ３のうちチヤンネル選択信号Ｓ３に相当する番組の受信データストリームＤ３のみをデマルチプレクサ１２に送出する。
【００２１】
デマルチプレクサ１２は、バツフアメモリ１３に受信データストリームＤ３を一旦格納した後、カードインターフエース（ＩＦ）２０を介して接続されたＩＣカード２１に記憶されている契約チヤンネルの暗号キー情報を読み出し、当該暗号キー情報と、選択したチヤンネルナンバの番組の暗号キー情報とが一致した場合に、バツフアメモリ１３に格納された受信データストリームＤ３を、ＣＰＵ２２の内部で発生するクロツク信号に基づいて複数のパケツトデータに分離する。
【００２２】
そしてデマルチプレクサ１２は、チヤンネル選択信号Ｓ３に応じたチヤンネルナンバの番組のパケツトデータだけを取り出し、そのうちの映像データ部分からなるパケツトデータＤ１０をＭＰＥＧ２ビデオデコーダ１４に供給すると共に、音声データ部分からなるパケツトデータＤ１１をＭＰＥＧオーデイオデコーダ１５に供給する。
【００２３】
因みに、ＩＣカード２１には暗号キー情報以外にもユーザが試聴した番組の試聴時間に応じた課金情報が蓄積されており、集計センタ８からの転送要求に応じて当該課金情報がＣＰＵ２２によつて読み出され、モデム２６及び公衆回線網７を介して集計センタ８へ送信されるようになされている。
【００２４】
ＭＰＥＧ２ビデオデコーダ１４は、映像データ部分からなる複数のパケツトデータＤ１０を一旦メモリ１６に格納した後、ＣＰＵ２２の内部で発生するクロツク信号に基づいてＭＰＥＧ２方式によつて復号することにより、圧縮符号化前の映像データＤ１２に変換し、これをＮＴＳＣ(National Television System Commitee) 変換部１８に送出する。
【００２５】
ＮＴＳＣ変換部１８は、映像データＤ１２を輝度（Ｙ）信号、色（Ｃ）信号及びコンポジツト信号からなるビデオ信号に変換してモニタ（図示せず）に出力することにより、当該モニタの画面に選択したチヤンネルナンバの番組を表示する。
【００２６】
ＭＰＥＧオーデイオデコーダ１５は、音声データ部分からなる複数のパケツトデータＤ１１を一旦メモリ１７に格納した後、ＭＰＥＧ２ビデオデコーダ１４と同様にＣＰＵ２２の内部で発生するクロツク信号に基づいてＭＰＥＧ方式によつて復号することにより、圧縮符号化前の音声データＤ１３に変換し、これをデイジタル／アナログ変換部１９に送出する。
【００２７】
デイジタル／アナログ変換部１９は、音声データＤ１３に対してデイジタル／アナログ変換処理を施すことにより、アナログのＬ（左）音声信号とＲ（右）音声信号を生成し、これをスピーカ（図示せず）を介してステレオ音声として出力する。
【００２８】
またＣＰＵ２２は、ＲＡＭ(Ramdom Access Memory)２３、フラツシユメモリ２４及びＥＥＰＲＯＭ(Electrically Erasable Programmable Read Only Memory) ２５に接続されており、ＲＡＭ２３をワークエリアとして用いることにより各種処理を実行すると共に、ＲＡＭ２３の一部の領域を使用してユーザが試聴した一日分の視聴率データＤ４を格納し得るようになされている。ここで、ＲＡＭ２３に視聴率データＤ４を格納する領域は、余裕を持たせて２日分以上の視聴率データＤ４を格納し得るだけの容量を有している。
【００２９】
フラツシユメモリ２４は、後述する初期設定画面や識別番号入力画面を表示したり、メニユ画面に基づいてユーザが選択入力したコマンドに応じた処理をＣＰＵ２２によつて行うためのプログラム情報が書き込まれた不揮発性メモリでなり、通信衛星３から新たなプログラム情報を受信した場合にはプログラム内容を書換えられるようになされている。
【００３０】
ＥＥＰＲＯＭ２５も不揮発性メモリでなり、ＩＲＤ５の電源をオフ状態にした場合の最終的なチヤンネルナンバ情報やそのときの音量（ボリユーム）状態を記憶しておくようになされており、ＣＰＵ２２は電源が再度オン状態になつたときに、ＥＥＰＲＯＭ２５に記憶されたデータ内容を読み出すことにより、電源がオフ状態になつたときと同じチヤンネルナンバ及び音量状態に再設定し得るようになされている。
【００３１】
ここでＩＲＤ５においては、購入された後に初めてプラグがＡＣコンセントに差し込まれると電源回路１０が立ち上げられ、当該電源回路１０によつて電源が供給されると、ＣＰＵ２２はまずフラツシユメモリ２４に格納されたプログラム情報を読み出すことにより、モニタの画面に図３に示すような初期設定画面５１を表示する。ユーザは、視聴率申込みを行う意思がある場合には、集計センタ８から予め指定されている５桁のパスワードを初期設定画面５１のパスワード入力欄５２に入力する。
【００３２】
この場合ＣＰＵ２２は、パスワード入力欄５２に集計センタ８から指定された５桁のパスワードが入力されたことを認識すると、次にモニタの画面に図４に示すような認識番号入力画面５３を表示する。ユーザは、認識番号入力画面５３の電話番号入力欄５４に公衆電話回線網７に接続された自宅の電話番号を市街局番から入力し、最終的に視聴率申込みを確認する「はい」のアイコン５５または「いいえ」のアイコン５６のどちらかを選択する。
【００３３】
ＣＰＵ２２は、ユーザによつて「いいえ」のアイコン５６が選択された場合には視聴率申込みの意思がないものとして処理を中止するが、「はい」のアイコン５５が選択された場合には入力された電話番号を視聴率申込みのユーザ識別番号とし、これをモデム２６及び公衆電話回線網７を介して集計センタ８に送信する。集計センタ８では送られてきたユーザ識別番号を登録することにより、ＩＲＤ５においてユーザが試聴した一日分の視聴率データＤ４を記憶して集計センタ８に自動的に送信する設定の登録が完了する。
【００３４】
これにより集計センタ８は、ＩＲＤ５からユーザ識別番号と一緒に送信されてきた視聴率データＤ４と、視聴率申込み時に登録したユーザ識別番号とが一致した場合に、その視聴率データＤ４を受け取り、一致しなかつた場合にはその視聴率データＤ４を受け付けないようになされている。
【００３５】
この場合ＩＲＤ５は、リモコン２７によつて送信されてきたリモコン信号Ｓ１をリモコン信号受光部２８を介して受光し、ＣＰＵ２２がリモコン信号受光部２８を介して送られてくるリモコン信号Ｓ２に基づいてフロントエンド部１１及びデマルチプレクサ１２の処理を制御していることにより、ユーザが試聴している番組のチヤンネルナンバ情報及び選択された時刻を表す時刻情報を常時認識している。
【００３６】
従つてＣＰＵ２２は、リモコン２７の操作によつて電源の供給がオン状態になつたときのチヤンネルナンバ情報及びその時の時刻情報、及び電源の供給がオフ状態になつたときのチヤンネルナンバ情報及びその時の時刻情報、並びに試聴している番組が変更された時点のチヤンネルナンバ情報及びその時の時刻情報を視聴率データＤ４としてＲＡＭ２３の一部の領域に格納する。
【００３７】
従つて、チヤンネルナンバが一度も変更されなければ電源のオンオフ時の時刻情報と１種類のチヤンネルナンバ情報だけが視聴率データＤ４として格納される。すなわちＣＰＵ２２は、電源のオンオフ時以外はチヤンネルナンバが変更された変化点を表す選択タイミングにおけるチヤンネルナンバ情報及びその時の時刻情報のみを試聴率データとしてＲＡＭ２３に格納することにより、記憶するデータ量を低減させるようになされている。
【００３８】
さらにＣＰＵ２２は、リモコン２７及びリモコン信号受光部２８から送信されてくるリモコン信号Ｓ２に応じたチヤンネルナンバ情報と録画開始及び終了時刻からなるビデオ予約情報をＲＡＭ２３に登録することにより、当該録画開始時刻になるとビデオインターフエース３０を介して接続されたＶＴＲ(Video Tape Recoder)２９を制御してＮＴＳＣ変換部１８及びデイジタルアナログ変換部１９から供給されるビデオ信号及び音声信号を記録するようになされている。
【００３９】
この場合ＣＰＵ２２は、タイマー録画されているチヤンネルナンバ情報の他に録画開始及び終了時刻情報を付加情報として付加した視聴率データＤ４としてＲＡＭ２３に格納して集計センタ８に送信することにより、当該集計センタ８ではこの視聴率データＤ４が単に１回だけ試聴されただけデータか、あるいはビデオテープに録画されたことにより何回か反復して試聴される可能性があるデータかを判別し得る高精度な視聴率データＤ４として集計することができる。
【００４０】
ここで視聴率データＤ４は、図５に示すようにヘツダ部分６１とデータ部分６２とに分かれ、ヘツダ部分６１はユーザの電話番号を４０ビツトで表す識別番号情報領域６３と、記憶された視聴率データＤ４の年月日を１６ビツトで表す日時情報領域６４と、記憶された視聴率データＤ４のサンプル数（すなわち電源供給のオンオフ時及び番組を変更する度に得られる視聴率データＤ４の個数）を１６ビツトで表すサンプル情報領域６５によつて構成されている。またデータ部分６２は、電源の供給をオン及び又はオフしたときのチヤンネルナンバ情報とその時の時刻情報、及びユーザが所望の番組を試聴するために変更したチヤンネルナンバ情報とその時の時刻情報とを４０ビツトで表している。
【００４１】
ＣＰＵ２２は、このようなデータ構造の選択情報を一日分（例えば前日のPM23:00:00〜当日のPM22:59:59）蓄積してＲＡＭ２３に格納した後、当日のPM23:00:00〜翌朝のAM07:00:00の間に、一日分の複数の選択情報からなる選択履歴情報としての視聴率データＤ４をモデム２６及び公衆電話回線網７を介してフリーダイアルで自動的に送信するようになされている。この場合ＣＰＵ２２は、視聴率データＤ４を回線の空いているPM23:00:00〜翌朝のAM07:00:00の間に送信するようにしたことにより、回線の混雑を回避することができる。
【００４２】
ここでＣＰＵ２２は、内部に乱数発生部２２Ａを有しており、当該乱数発生部２２Ａによつて 15000世帯分のＩＲＤ５Ａ〜５Ｚ全てに固有の乱数を発生し、当該乱数に応じた１分間の送信時間帯を各ユーザの電話番号（識別番号）に割り当てることにより、視聴率データＤ４をPM23:00:00〜AM07:00:00の間に送信する際に 15000世帯数分の呼が重なることなく効率良く送信し得るようになされている。
【００４３】
この場合、 15000世帯分のＩＲＤ５Ａ〜５Ｚは個別に割り当てられた１分間の送信時間帯で視聴率データＤ４を送信することにより、集計センタ８では所有する５０回線によつて５時間で 15000世帯分の視聴率データＤ４を全て収集することができる。これにより集計センタ８は、課金情報の収集のようにデータの転送要求を個別に送信することなく、 15000世帯数分の視聴率データＤ４を確実かつ容易に集計することができ、当該 15000世帯数分の視聴率データＤ４を基に一日分の視聴率結果データＤ５を算出し、これを放送事業者２に速やかに通知することができる。
【００４４】
ところでＩＲＤ５においては、電源回路１０の内部に停電検出回路１０Ａを有しており、当該停電検出回路１０Ａによつて停電（すなわち電源回路１０によつて電源が供給されなくなつたこと）を検出し、その後電源回路１０によつて電源が供給されるようになつたことを検出すると、ＣＰＵ２２は一度設定登録された視聴率申込みをリセツト状態にして初期設定画面５１（図３）を再度表示するようになされている。
【００４５】
すなわちＩＲＤ５は、ユーザ間で本体の譲渡があつた場合には必ずプラグがＡＣコンセントから外されるので、この場合にＣＰＵ２２は電源が供給されなくなつたことを検出し、その後プラグがＡＣコンセントに差し込まれて電源回路１０によつて電源が供給されるようになると、初期設定画面５１を再度モニタに表示する。
【００４６】
これにより、ＩＲＤ５本体を譲渡されたユーザは初期設定画面５１を見て視聴率申込みのパスワードを入力するか否かを判断する。このとき譲渡された側のユーザは視聴率申込みを行う意思がある場合に、集計センタ８から指定された５桁のパスワードを入力し、次に表示される識別番号表示画面５３（図４）の識別番号入力欄５４に自身の電話番号を入力する。このときＩＲＤ５は、譲渡されたユーザの視聴率申込みがあつたことを初めて認識し、視聴率データＤ４を記憶して自動的に送信する設定登録を改めて行うようになされている。
【００４７】
これにより集計センタ８では、譲渡されたユーザの識別番号が付加された視聴率データＤ４がＩＲＤ５から送信されてくると、登録された識別番号と視聴率データＤ４に付与された識別番号とを比較し、識別番号が一致したときにその視聴率データＤ４を受け取り、識別番号が一致しなかつたときには、その視聴率データＤ４を受け取らないことにより、視聴率申込みを行つたユーザの視聴率データＤ４のみを集計するようになされている。
【００４８】
以上の構成において、ＩＲＤ５は内部のＲＡＭ２３に一日分の視聴率データＤ４を格納し、所定の時間帯（PM11:00:00〜AM 7:00:00）の中で自動的に集計センタ８に送信するようにしたことにより、視聴率データＤ４を一日単位で効率良く送信できると共に、転送要求等の命令を受けることなく自動的に送信することができる。
【００４９】
従つて集計センタ８では、視聴率データＤ４の転送要求をＩＲＤ５Ａ〜５Ｚに個別に送信することなく視聴率データＤ４を容易に集計することができると共に、視聴率データＤ４の転送要求を送信する必要がなくなつた分だけ通信コストを低減させることができる。
【００５０】
以上の構成によれば、ＩＲＤ５は視聴率データＤ４を内部に設けられたＲＡＭ２３に記憶し、当該視聴率データＤ４を集計センタ８に対して自動的に送信することにより、集計センタ８では非常の多くのサンプル数の視聴率データＤ４を容易に集計することができる。
【００５１】
なお上述の実施の形態においては、ＩＲＤ５の内部に設けられたＲＡＭ２３の一部の領域を用いて視聴率データＤ４を記憶するようにした場合について述べたが、本発明はこれに限らず、視聴率データＤ４だけを記憶するメモリを個別に設け、そこに視聴率データＤ４を記憶するようにしても良い。
【００５２】
また上述の実施の形態においては、所定の取得タイミングとして電源供給のオンオフ時とチヤンネルナンバの変更時におけるチヤンネルナンバ情報及びその時の時刻情報を視聴率データＤ４としてＲＡＭ２３に記憶するようにした場合について述べたが、本発明はこれに限らず、例えば複数の番組の各番組構成時間のうちの最も短い番組構成時間（例えばコマーシヤルの約１５秒）よりも短い 7.5秒間隔づつ視聴率データＤ４を記憶するようにしても良い。この場合、図６に示すようにコマーシヤルの合間に視聴率データＤ４を記憶するようにすれば番組の試聴率データ以外のコマーシヤルの視聴率データＤ４も記憶することができ、より精度の高い試聴率データを記憶して送信することができる。
【００５３】
さらに上述の実施の形態においては、所定の取得タイミングとして電源供給のオンオフ時とチヤンネルナンバの変更時におけるチヤンネルナンバ情報及びその時の時刻情報を視聴率データＤ４としてＲＡＭ２３に記憶して送信するようにした場合について述べたが、本発明はこれに限らず、１分間隔で記憶された番組の履歴として同一のチヤンネルナンバ情報が連続して検出された場合に、当該チヤンネルナンバ情報及び上記連続する回数のみを視聴率データＤ４として送信するようにしても良い。
【００５４】
さらに上述の実施の形態においては、本発明の番組選択履歴情報取得装置をＩＲＤ５の内部に設けるようにした場合について述べたが、本発明はこれに限らず、外部に設けてＩＲＤ５と接続して用いるようにしても良い。
【００５５】
さらに上述の実施の形態においては、本発明の番組選択履歴情報取得装置を記憶手段としてのＲＡＭ２３及びＣＰＵ２２、送信手段としてのモデム２６及びＣＰＵ２２によつて構成するようにした場合について述べたが、本発明はこれに限らず、他の種々の記憶手段及び送信手段によつて構成するようにしても良い。
【００５６】
さらに上述の実施の形態においては、本発明の番組選択履歴情報取得装置をデイジタル衛星放送用の受信装置（ＩＲＤ）５に適用するようにした場合について述べたが、本発明はこれに限らず、通常の地上波放送のテレビジヨン受信装置やケーブルテレビジヨンのテレビジヨン受信装置、あるいは音声情報や文字情報を受信するラジオ受信装置に適用するようにしても良い。
【００５７】
（２）第２の実施の形態
図２との対応部分に同一符号を付して示す図７は、本発明による番組選択履歴情報取得手段を有する受信装置（ＩＲＤ）５０の第２の実施の形態を示し、図１に示す各ユーザ宅４Ａ〜４Ｚにそれぞれ設置されている。このＩＲＤ５０は、商用電源（図示せず）に接続された電源回路１０を介して各回路部に電源が供給されると、ＣＰＵ２２が起動する。
【００５８】
ＣＰＵ２２は、フラツシユメモリ２４に記憶されているプログラムに従つて各種の処理を実行するようになされており、例えば初期設定画面や識別番号入力画面をモニタに表示したり、メニユー画面に基づいてユーザがリモートコマンダ２７又は操作パネル４０を操作して選択入力したコマンドを解析し、当該コマンドに応じた各種の処理を実行する。
【００５９】
リモートコマンダ２７は複数の操作キーを有し、ユーザがいずれかの操作キーを操作すると、当該操作キーに応じた命令信号Ｓ１を例えば赤外光に重畳してＩＲＤ５０のリモコン信号受光部２８に送出する。リモコン信号受光部２８は、赤外光に重畳された命令信号Ｓ１を電気信号に変換し、これを命令信号Ｓ２としてＣＰＵ２２に送出する。
【００６０】
例えばユーザがリモートコマンダ２７のチヤンネル選択キーを操作して、いずれかのチヤンネルを選択すると、ＣＰＵ２２はこれに応じたチヤンネル選択信号Ｓ３をフロントエンド部１１に供給する。
【００６１】
フロントエンド部１１は、ユーザによつて指定されたチヤンネルを含む受信データストリームＤ３をアンテナ６を介して受信し、当該受信データストリームＤ３に対してエラー訂正符号を用いたエラー訂正処理を施した後、これをデマルチプレクサ１２に供給する。デマルチプレクサ１２は、カードインターフエイス（カードＩ／Ｆ）２０を介して接続されたＩＣカード２１に記憶されている契約チヤンネルの暗号キー情報を読み出し、当該暗号キー情報と、このときユーザによつて選択されたチヤンネルナンバの番組の暗号キー情報とが一致した場合に、受信データストリームＤ３から当該チヤンネルのパケツトデータを分離すると共に、これを暗号キー情報を用いて解読し、当該分離されたパケツトデータのうち、映像データ部分からなるパケツトデータＤ１０をＭＰＥＧ２ビデオデコーダ１４に供給すると共に、音声データ部分からなるパケツトデータＤ１１をＭＰＥＧオーデイオデコーダ１５に供給する。
【００６２】
因みに、ＩＣカード２１には暗号キー情報に加えてユーザが視聴した番組の視聴時間に応じた課金情報が蓄積されるようになされており、予め設定されたタイミング又は放送事業者２（図１）の集計センタ８（図１）から公衆電話回線設網７を介してＩＲＤ５０に転送要求が入力されたとき、ＣＰＵ２２は課金情報をＩＣカード２１から読み出し、モデム２６及び公衆回線網７を介してサービスセンタ８に送信する。
【００６３】
ＭＰＥＧ２ビデオデコーダ１４は、映像データ部分からなる複数のパケツトデータＤ１０を一旦メモリ１６に格納した後、これをＣＰＵ２２の内部で発生するクロツク信号に基づいてＭＰＥＧ２方式によつて復号する。これにより、圧縮符号化前の映像データＤ１２が復元され、ＭＰＥＧ２ビデオデコーダ１４は当該映像データＤ１２をＮＴＳＣ(National Television System Committee)変換部１８に送出する。
【００６４】
ＮＴＳＣ変換部１８は、映像データＤ１２を輝度（Ｙ）信号、色（Ｃ）信号及びコンポジツト信号に変換し、これらをモニタ（図示せず）に出力することにより、このとき選択されたチヤンネルの番組の映像をモニタを介して可視表示することができる。
【００６５】
また、ＭＰＥＧオーデイオデコーダ１５は、音声データ部分からなる複数のパケツトデータＤ１１を一旦メモリ１７に格納した後、これをＣＰＵ２２の内部で発生するクロツク信号に基づいてＭＰＥＧ方式によつて復号する。これにより、圧縮符号化前の音声データＤ１３が復元され、ＭＰＥＧオーデイオデコーダ１５は当該音声データＤ１３をデイジタル／アナログ変換部１９に送出する。
【００６６】
デイジタル／アナログ変換部１９は、音声データＤ１３に対してデイジタル／アナログ変換処理を施すことにより、アナログ信号でなるＬ（左）チヤンネル音声信号とＲ（右）チヤンネル音声信号とを生成し、これをスピーカ（図示せず）を介してステレオ音声として出力する。
【００６７】
また、ＮＴＳＣ変換部１８から出力される輝度（Ｙ）信号、色（Ｃ）信号及びコンポジツト信号と、デイジタル／アナログ変換部１９から出力されるＬ（左）チヤンネル音声信号及びＲ（右）チヤンネル音声信号とは、アナログビデオテープレコーダ（ＶＴＲ）２９に供給される。従つて、アナログＶＴＲ２９は、ＣＰＵ２２から赤外線発光部１５７を介して供給される制御信号Ｓ７として録画開始命令が入力されると、このときＮＴＳＣ変換部１８から出力される輝度（Ｙ）信号、色（Ｃ）信号及びコンポジツト信号と、デイジタル／アナログ変換部１９から出力されるＬ（左）チヤンネル音声信号及びＲ（右）チヤンネル音声信号とをビデオテープに記録する。
【００６８】
因みにＩＲＤ５０には、アナログＶＴＲ２９に加えて、光磁気デイスク装置（ＭＤ:Mini Disc) １５２、デイジタルＶＴＲ１５３及びハードデイスクレコーダ１５４等の複数のデイジタル記録再生装置並びにデイジタルＴＶ(Television)装置１５５がそれぞれＩＥＥＥ１３９４で規定されたデータバスＢＵＳ及びインターフエース（IEEE1394 I/F) １５１を介して接続されている。
【００６９】
従つて、ＩＲＤ５０のＣＰＵ２２は、受信データストリームＤ３に重畳される複数のチヤンネルとして、例えば映像及び音声信号を提供するチヤンネル、ゲームソフトや種々の情報を提供するチヤンネル、又は音楽（オーデイオデータ）を提供するチヤンネルをデマルチプレクサ１２において分離抽出し、これらの中からユーザがリモートコマンダ２７によつて選択したチヤンネルを復号前の圧縮符号化されたデータのままデータバスＢＵＳ及びインターフエース５１を介してそれぞれユーザによつて指定されたデイジタル記録再生装置及び又はデイジタルＴＶ装置１５５に供給する。
【００７０】
このときＣＰＵ２２はデータバスＢＵＳ及びインターフエース１５１を介して対応するデイジタル記録再生装置（光磁気記録再生装置１５２、デイジタルＶＴＲ１５３又はハードデイスクレコーダ１５４）及び又はデイジタルＴＶ装置５５を制御することにより、デイジタル記録再生装置を記録動作させると共にデイジタルＴＶ装置１５５に対して入力データのＭＰＥＧデコード及び表示動作を行わせる。これにより、ユーザが指定したデイジタル記録再生装置においてユーザが指定したチヤンネルの情報を記録すると共に、デイジタルＴＶ装置１５５においてこのとき記録されている画像及び又は音声が出力される。
【００７１】
因みに、光磁気デイスク装置１５２は、2.5 インチの光磁気デイスクに対して、ＡＴＲＡＣ(Adaptive TRansform Acoustic Coding)方式で圧縮符号化されたオーデイオデータを記録再生するものであり、デマルチプレクサ１２を介して分離されたデータのうち、ＡＴＲＡＣ方式で圧縮符号化されたオーデイオデータを入力する。そして光磁気デイスク装置１５２はＡＴＲＡＣ方式で圧縮符号化されているオーデイオデータを圧縮符号化されたまま光磁気デイスクに記録する。また、当該光磁気デイスク装置１５２は、光磁気デイスクに記録されたオーデイオデータをＡＴＲＡＣ方式で復号するＡＴＲＡＣデコーダを内部に有し、これにより復号されたオーデイオ信号を外部出力端子（図示せず）を介して外部のスピーカ等に出力することにより、光磁気デイスク上のオーデイオデータを再生することができる。
【００７２】
また、デイジタルＶＴＲ１５３は、ビデオテープに対して、ＭＰＥＧ方式で圧縮符号化された映像信号及び音声信号を記録再生するものであり、デマルチプレクサ１２を介して分離されたデータのうち、ＭＰＥＧ方式で圧縮符号化されている映像信号及び音声信号を入力する。そしてデイジタルＶＴＲ１５３は当該映像信号及び音声信号を圧縮符号化されたままの状態でビデオテープに記録する。また、デイジタルＶＴＲ１５３は、ビデオテープに記録された映像及び音声データをＭＰＥＧ方式で復号するＭＰＥＧデコーダを有し、これにより復号された映像及び音声信号を外部出力端子（図示せず）を介して外部のモニタやスピーカに出力することにより、ビデオテープに記録された映像及び音声信号を再生することができる。
【００７３】
また、ハードデイスクレコーダ１５４は、ハードデイスクに種々の情報を記録再生するものであり、デマルチプレクサ１２を介して分離されたデータのうち、例えばゲームソフトや他の種々の情報を提供するチヤンネルの各種データを入力し記録する。
【００７４】
またデマルチプレクサ１２は、所定のタイミングで各チヤンネルに重畳されて配信される電子番組ガイド情報（ＥＰＧ：Electronic Program Guide) を抽出し、これをバツフアメモリ１３に格納する。電子番組ガイド情報は、放送局から送信されるデータストリームのヘツダ部に付加されたＰＳＩ(Program Specific Information)と呼ばれるプログラム仕様情報の中のネツトワーク・インフオメーシヨン・テーブル（ＮＩＴ：Network Information Table)に割り当てられている。
【００７５】
このネツトワーク・インフオメーシヨン・テーブル（ＮＩＴ）は、図８に示すような構成を有する。図８において、テーブルＩＤ（テーブル記述子）Ｄ１０１は、当該データがＭＰＥＧで規定されたテーブルのうちのネツトワーク・インフオメーシヨン・テーブル（ＮＩＴ）であることを表し、ネツトワークＩＤ（ネツトワーク識別子）Ｄ１０２は、当該ネツトワーク・インフオメーシヨン・テーブル（ＮＩＴ）が多重化されたデータストリームを示し当該データストリームを中継する通信衛星のトランスポンダを識別するために用いられる。またバージヨン番号Ｄ１０３は、テーブルの内容が更新される度に加算され、さらにカレント・ネクスト・指示データＤ１０４は、新旧バージヨンを同時に伝送する際の識別に用いられる。
【００７６】
これに加えて、ネツトワーク・インフオメーシヨン・テーブル（ＮＩＴ）には、トランスポートストリームＴＳ記述子長データＤ１０５に続いて、当該トランスポート記述子長データＤ１０５によつて決定される長さの記述子Ｄ１０６として、図９に示すサービスリスト記述子Ｄ１２０が記述される。
【００７７】
このサービスリスト記述子Ｄ１２０は、データストリームに多重化されたサービスの識別情報を表し、記述子タグデータＤ１２１は、当該記述子の種別を表し、サービスＩＤデータＤ１２２は、ＥＰＧデータの識別情報を表し、サービスタイプデータＤ１２３は、ＥＰＧデータの内容を表す。
【００７８】
電子番組ガイド情報は、現在時刻から数十時間後までの各放送チヤンネルの番組に関する情報（例えば、番組のチヤンネル、放送時間、タイトル、ジヤンル、番組解説等）を含んでいる。この電子番組ガイド情報は、所定のタイミングで頻繁に配信されることにより、バツフアメモリ１３には常に最新の情報が格納される。
【００７９】
ＣＰＵ２２はユーザがリモートコマンダ２７を操作して電子番組ガイド情報の出力が要求されると、バツフアメモリ１３から最新の電子番組ガイド情報ＥＰＧを読み出してこれをＭＰＥＧ２ビデオデコーダ１４、ＮＴＳＣ変換部１８を介して外部に接続されたモニタに出力することによりユーザに対して、各チヤンネルにおいて提供される番組の内容を種々の表示キヤラクタによつて表示する。
【００８０】
ユーザはモニタに表示された電子番組ガイド情報を見ながら、リモートコマンダ２７又は操作パネル４０の操作により所望の番組を選択すると共に、当該番組に対してユーザが所望とする取り扱いを指定する。例えば、選択した番組を外部接続されたアナログＶＴＲ２９において録画する場合には、ユーザは当該命令をリモートコマンダ２７又は操作パネル４０を操作することによりＣＰＵ２２に入力する。ＣＰＵ２２は当該命令に応じて、このとき選択された番組の放送の開始を内部タイマを用いて検出し、当該番組の開始と同時にその映像データ及び音声データをデマルチプレクサ１２において抽出した後、映像データをＭＰＥＧ２ビデオデコーダ１４及びＮＴＳＣ変換部１８を介して外部に接続されたアナログＶＴＲ２９に供給すると共に、音声データをＭＰＥＧオーデイオデコーダ１５及びデイジタル／アナログ変換部１９を介してアナログＶＴＲ２９に供給する。また、このときＣＰＵ２２は制御信号Ｓ７を赤外線発光部５７を介してアナログＶＴＲ２９に供給することによりアナログＶＴＲ２９を録画動作させ、これによりユーザによつて選択された番組がアナログＶＴＲ２９のビデオテープに録画される。
【００８１】
因みに、ＮＴＳＣ変換部１８は入力された映像データに対してコピープロテクト信号を重畳するようになされており、入力された映像データが予めユーザによつて購入契約されている場合には、ＣＰＵ２２は当該契約状況をＩＣカード２１から読み取つて、ＮＴＳＣ変換部１８に対してコピープロテクト信号の重畳を停止させる。これにより、ユーザが購入契約を結んでいる番組については、コピープロテクトが解除され、アナログＶＴＲ２９において録画される。
【００８２】
また、データバスＢＵＳ及びインターフエース１５１を介して外部に接続された各デイジタル記録再生装置（光磁気デイスク装置１５２、デイジタルＶＴＲ１５３及びハードデイスクレコーダ１５４）においても、それぞれ同様にしてユーザが電子番組ガイド情報に基づいて録画（記録）命令をＣＰＵ２２に入力すると、ＣＰＵ２２は当該命令に基づいてこのとき指定された番組（音楽ソフト、ゲームソフト、映画ソフト等）の受信が開始されると、これを対応するデイジタル記録再生装置に記録する。このとき、ＣＰＵ２２はＩＣカード２１に記憶されている契約番組の暗号キー情報を用いてデマルチプレクサ１２において暗号キー情報の照合及び解読を行うことにより、ユーザが予め契約済の番組のみをデイジタル記録再生装置に記録することができる。
【００８３】
また、ＣＰＵ２２は、各種の動作プログラムを格納したフラツシユメモリ２４に加えてＲＡＭ(Random Access Memory)２３及びＥＥＰＲＯＭ(Electrically Erasable Programmable Read Only Memory) を接続しており、ＲＡＭ２３をワークエリアとして用いることにより各種処理を実行すると共に、ＲＡＭ２３の一部の領域を用いたユーザが視聴した一日分の視聴率データを格納するようになされている。
【００８４】
フラツシユメモリ２４は内部に格納している各種実行プログラムについて、ＩＲＤ５０が新たなプログラムを受信した場合には、当該プログラムを新たな内容に書き換えるようになされている。この書換え処理をプログラムのダウンロードと呼ぶ。
【００８５】
ＥＥＰＲＯＭ２５は不揮発性メモリでなり、ＩＲＤ５０の電源をオフ状態に切り換えた際の直前に設定されていた最終的なチヤンネル番号情報やそのときの音声レベルを記憶する。ＣＰＵ２２は電源が再度オン状態に切り換えられたとき、ＥＥＰＲＯＭ２５に記憶されたデータ内容を読み出すことにより、電源がオフ状態となつたときと同じチヤンネル番号及び音量レベルを再設定する。
【００８６】
ここで、ＣＰＵ２２は予め決められた時間ごと（例えば１０秒ごと）にユーザが視聴している（又は録画している）番組を表すデータや種々の付加情報を視聴率データ（番組選択履歴情報）Ｄ１００としてＲＡＭ２３に格納する。この視聴率データＤ１００は、図１０及び図１１に示すように、ヘツダ部分１６１とデータ部分１６２とに分かれ、ヘツダ部分１６１はユーザの電話番号をＢＣＤ(Binary Coded Decimal)４８ビツトで表すことによりＩＲＤ５０の識別を行う識別番号情報領域１６３と、記憶された視聴率データＤ１００のデータ取得日付を年月日（但し西暦の上位２桁は送出しない）をＢＣＤ２４ビツトで表す日時情報領域１６４と、記憶された視聴率データＤ１００のサンプル数（すなわちこのときヘツダ部分１６１に続いて記憶されているゲータ部分１６２のサンプル数）をbinary１６ビツトで表すサンプル数情報領域１６５とによつて構成されている。
【００８７】
またデータ部分１６２は、所定の時間ごと（例えば１０秒ごと）にＣＰＵ２２によつて取得されたユーザの視聴状態を表すデータを当該１回の取得ごとに１つのデータ単位（サンプルデータ）１６６としてその取得順に形成しており、各サンプルデータ１６６には、それぞれ後述する各種の付加情報（８ビツト）と、そのサンプルデータが取得された時刻情報（２４ビツト）と、当該サンプルデータ１６６が取得された時刻におけるユーザの選択番組情報（チヤンネルナンバ情報（１６ビツト））とが割り当てられる。
【００８８】
各サンプルデータ１６６に割り当てられる付加情報は、図１２に示すように、全体として８ビツトのデータからなり、当該サンプルデータ１６６が取得された時刻においてＩＲＤ５０がビデオソフト（映像及び音声からなる番組）の購入を行つて当該番組を録画及び又は表示しているとき最下位ビツトに「１」が割り当てられ、また、当該サンプルデータ１６６が取得された時刻においてＩＲＤ５０がタイマ予約による録画を行つているとき最下位から２ビツト目に「１」が割り当てられ、また、当該サンプルデータ１６６が取得された時刻においてＩＲＤ５０が電子番組ガイド情報ＥＰＧを表示中であるとき最下位から３ビツト目に「１」が割り当てられ、また、当該サンプルデータ１６６が取得された時刻においてＩＲＤ５０がフラツシユメモリ２４に格納されている実行プログラムのバージヨンアツプのための新たなプログラムをダウンロード中であるとき最下位から４ビツト目に「１」が割り当てられ、さらに、当該サンプルデータ１６６が取得された時刻においてＩＲＤ５０が音楽番組の購入を行つてこれを光磁気記録再生装置５２に記録するミユージツクダウンロード中であるとき最下位から５ビツト目に「１」が割り当てられる。
【００８９】
このようにして、各時刻ごとに取得された複数のサンプルデータ１６６には、その取得タイミングにおけるＩＲＤ５０の番組選択状態（すなわちユーザによる視聴状態）が付加情報として詳細に記録され、ＲＡＭ２３に各サンプルデータ１６６ごとに順次格納される。
【００９０】
ＣＰＵ２２はこのようにして取得された視聴率データＤ１００をＲＡＭ２３に一日分蓄積し、これを一日分の視聴率データ（番組選択履歴情報）としてモデム２６及び公衆電話回線網７を介して集計センタ８（図１）に送信する。この場合、ＣＰＵ２２は内部に乱数発生部２２Ａを有しており、視聴率データＤ１００を送信する契約を結んでいるユーザ宅（例えば15000 世帯）の各ＩＲＤ５０においてそのＣＰＵ２２に設けられた乱数発生部２２Ａにより各ＩＲＤ５０に別々の送信時間を割り当てるようになされている。
【００９１】
このように視聴率データＤ１００の送信時間が割り当てられると、ＩＲＤ５０は当該割り当てられた送信時刻になると、ＲＡＭ２３に蓄積されている視聴率データＤ１００を集計センタ８（図１）に送信する。因みに、乱数発生部２２Ａによつて割り当てられた送信時刻は、一度決定されると所定の送信時刻変更処理が実行されるまで変更されることはない。
【００９２】
このようにして乱数発生部２２Ａによつて各ＩＲＤ５０ごとに視聴率データＤ１００の送信時刻を個別に割り当てることにより、集計センタ８（図１）に対して回線接続要求が集中することを回避し得る。
【００９３】
ここで、ＣＰＵ２２はＲＡＭ２３に蓄積されている視聴率データＤ１００を集計センタ８（図１）に公衆電話回線網７を介して送信するとき、送信する視聴率データＤ１００を暗号化する。すなわち、図１及び図７との対応部分に同一符号を付して示す図１３は視聴率データを暗号化して集計センタ８に送信する際の信号処理部を示すものであり、フラツシユメモリ２４には、ＩＲＤ５０に固有に割り当てられたキー情報（識別コード情報）が予め格納されている。このキー情報は、ＩＲＤ５０ごとにその機種コードと固有のシリアルナンバとからなり、各ＩＲＤ５０ごとに異なるキー情報である。
【００９４】
ＣＰＵ２２はこのキー情報ＤＫをフラツシユメモリ２４から読み出すと共に、ＲＡＭ２３から読み出した視聴率データＤ１００をキー情報ＤＫを用いて暗号化する。この暗号化の方法の一例を図１４に示す。すなわち図１４において、フラツシユメモリ２４に格納されているキー情報が例えば「１８７０３２５４」である場合、ＣＰＵ２２の視聴率データエンコード部２２Ｂは、図１４（Ａ）に示すように、まずキー情報の最下位桁に割り当てられている値（キー）「４」に基づいて視聴率データＤ１００の付加情報、時刻情報及びチヤンネルナンバをそれぞれ４桁ずつＭＳＢ側に移動させる。このときＭＳＢにあるビツトはＬＳＢ側に移動する。
【００９５】
そして次に、キー情報の最下位から２桁目のキー「５」に基づいて、視聴率データＤ１００の付加情報、時刻情報及びチヤンネルナンバをそれぞれ５桁ずつＬＳＢ側に移動する。
【００９６】
そして次に、キー情報の最下位から３桁目のキー「２」に基づいて、視聴率データＤ１００の付加情報、時刻情報及びチヤンネルナンバをそれぞれ２桁ずつＭＳＢ側に移動する。
【００９７】
このようにして、キー情報を下の桁から順次用いて視聴率データＤ１００をＭＳＢ側及びＬＳＢ側に交互に移動することにより、視聴率データＤ１００が暗号化される。
【００９８】
また、ＣＰＵ２２の視聴率データエンコード部２２Ｂは、視聴率データＤ１００に加えて、このとき用いたキー情報も同時に暗号化する。この暗号化方法としては、図１４（Ｂ）に示すように、例えばキー情報が「１８７０３２５４」である場合、このキー情報を２桁ずつ区切つて当該各２桁を入れ換える。これによりキー情報「１８７０３２５４」は暗号化キー情報「８１０７２３４５」に変換される。
【００９９】
かくしてＣＰＵ２２の視聴率データエンコード部２２Ｂは暗号化された視聴率データ（暗号化データ）及び暗号化キー情報からなる暗号化データＤ１００´をモデム２６及び公衆電話回線網７を介して集計センタ８のモデム８Ａに送信する。
【０１００】
モデム８Ａは、暗号化データＤ１００´をキー情報デコード部８Ｃ及び視聴率データデコード部８Ｂにそれぞれ供給する。キー情報デコード部８Ｃは暗号化データＤ１００´に含まれる暗号化キー情報（例えば「８１０７２３４５」）を２桁ずつ区切つて当該区切られた２桁ごとに入れ換えを行うことにより、暗号化される前のキー情報（例えば「１８７０３２５４」）を復元し、当該復元されたキー情報ＤＫを視聴率データデコード部８Ｂに供給する。
【０１０１】
視聴率データデコード部８Ｂは、モデム８Ａから供給される暗号化データＤ１００´に含まれる暗号化された視聴率データを、キー情報デコード部８Ｃから供給されるキー情報ＤＫを用いて解読する。この解読方法は、図１４（Ａ）について上述した暗号化方法と逆の手順によるものであり、キー情報ＤＫの最下位桁からその値（キー）を順次用いて、当該キーによつて表される数だけ視聴率データをＭＳＢ側又はＬＳＢ側にビツト移動する。
【０１０２】
これにより暗号化される前の視聴率データＤ１００が復元され、視聴率データデコード部８Ｂは当該復元された視聴率データＤ１００を視聴率データ処理部８Ｄに送出することにより、これを集計する。
【０１０３】
このように、ＩＲＤ５０側において暗号化されたキー情報ＤＫを暗号化された視聴率データと共に集計センタ８に送信し、集計センタ８では当該暗号化されたキー情報ＤＫを復元しこれを用いて視聴率データＤ１００を解読することにより、暗号化された視聴率データを解読するに際して各ＩＲＤ５０に固有のキー情報ＤＫを必要とする点においてセキユリテイの確保を行うと共に、解読に必要なキー情報を同一の回線を用いて集計センタ８に送信することができる点において暗号化システムの構築を容易にし得る。
【０１０４】
以上の構成において、ＩＲＤ５０のＣＰＵ２２は、視聴率データＤ１００の付加情報としてビデオソフト購入時の視聴記録やタイマ予約による録画実行中の視聴記録を取得することにより、ユーザが単に番組をモニタに表示して視聴することに対して、繰り返し視聴が可能となる録画の有無を集計センタ８において集計データとして扱うことができる。従つて、繰り返し視聴が可能となる番組、コマーシヤル、ビデオソフト等の録画については、視聴率データとしてその重み付けを増すような集計を行うことにより、集計センタ８においてユーザの視聴状態を一段と正確に把握することができる。
【０１０５】
またＩＲＤ５０のＣＰＵ２２は、視聴率データＤ１００の付加情報として電子番組ガイド情報ＥＰＧの視聴の有無を取得することにより、例えばユーザがチヤンネル選択によつてコマーシヤルや番組を受信している際に電子番組ガイド情報ＥＰＧをモニタに表示すると、当該電子番組ガイド情報ＥＰＧの視聴状態が付加情報として視聴率データＤ１００に割り当てられる。これにより、ユーザが電子番組ガイド情報を視聴している間においては、ユーザはこのとき選択されているチヤンネルのコマーシヤルや番組を視聴していない状態であることを集計センタ８において把握することができ、この分コマーシヤルや番組の視聴率を修正することができる。
【０１０６】
またＩＲＤ５０のＣＰＵ２２は、視聴率データＤ１００の付加情報としてミユージツクソフトのダウンロードや実行プログラムのバージヨンアツプ等の情報を取得することにより、ユーザの詳細な視聴形態を正確に把握することができる。
【０１０７】
さらに、ＩＲＤ５０においては、取得した視聴率データＤ１００を所定の暗号化手法を用いて暗号化した後、集計センタ８に送信することにより、公衆電話回線網７を介しての集計に際して、ユーザのプライバシーを有効に保護しながら、視聴率データＤ１００を集計することができる。
【０１０８】
かくして以上の構成によれば、ユーザの視聴形態を詳細かつ正確に取得し得ると共に、当該取得した視聴率データＤ１００を安全に集計し得る番組選択履歴情報取得装置を実現できる。
【０１０９】
なお上述の実施の形態においては、視聴率データＤ１００に含まれる付加情報として、図１２について上述した各種の情報（ビデオソフト購入時の視聴記録、タイマ予約実行中の視聴記録、電子番組ガイド情報を表示中の視聴記録、ＣＰＵ２２の実行プログラムのダウンロードによるバージヨンアツプ、ミユージツクソフト購入時の視聴記録）を取得する場合について述べたが、本発明はこれに限らず、例えばゲームソフトの購入等、他の種々の情報の購入や視聴記録を付加情報として取得するようにしても良い。
【０１１０】
また上述の実施の形態においては、本発明を通信衛星を介してデイジタル放送を行うシステムのＩＲＤ５０に適用した場合について述べたが、本発明はこれに限らず、例えば地上波によつて番組の配信するシステムの受信装置においても本発明を適用して好適である。
【０１１１】
【発明の効果】
上述のように本発明によれば、ユーザによつて番組の選択履歴情報をセンタに送る設定操作が行われ、センタに対して番組の選択履歴情報を自動的に送信する送信設定の登録が行われている場合に、番組の選択履歴情報を所定の時刻に所定の送信手段を介しセンタに対して自動的に送信するようにしたことにより、センタから各ユーザに対して選択履歴情報の転送要求を行うことがなくても、ユーザが選択した番組の選択履歴情報を所定の時刻に所定の送信手段を介してセンタに対して自動的に送信することができるので、センタからの転送要求の命令を受けなくてもユーザが選択した番組の選択履歴情報を所定の時刻に正確にセンタに対し自動的に送信することができ、かくしてユーザが選択した番組の選択履歴情報を正確に取得しセンタに送信できる番組選択履歴情報取得装置、番組選択履歴情報取得方法及び受信装置を実現することができる。
【０１１２】
また、番組選択履歴情報取得装置に固有のキー情報を格納し、固有のキー情報に基づいてユーザが選択した番組の選択履歴情報及び固有のキー情報を暗号化処理し、暗号化選択履歴情報及び暗号化キー情報として所定の時刻に所定の送信形態を介しセンタに対して送信するようにしたことにより、センタから各ユーザに対して選択履歴情報の転送要求がなされることなく、登録されたユーザが選択した番組の選択履歴情報がセンタに対して安全に送信できるので、ユーザが選択した番組の選択履歴情報を所定の時刻に正確にかつ安全にセンタに送信することができ、かくしてユーザが選択した番組の詳細な選択履歴情報を正確にかつ安全に送信できる番組選択履歴情報取得装置、番組選択履歴情報取得方法及び受信機を実現することができる。
【図面の簡単な説明】
【図１】本発明による視聴率調査システムの構成を示すブロツク図である。
【図２】本発明によるＩＲＤの第１の実施の形態を示すブロツク図である。
【図３】初期設定画面を示す略線図である。
【図４】識別番号入力画面を示す略線図である。
【図５】第１の実施の形態における視聴率データのデータ構造を示す略線図である。
【図６】他の実施の形態における視聴率データの記憶タイミングを示す略線図である。
【図７】本発明によるＩＲＤの第２の実施の形態を示すブロツク図である。
【図８】ＮＩＴデータの構成を示す略線図である。
【図９】サービスリスト記述子のデータ構成を示す略線図である。
【図１０】第２の実施の形態による視聴率データの構成を示す略線図である。
【図１１】第２の実施の形態による視聴率データの構成を示す略線図である。
【図１２】付加情報の構成を示す略線図である。
【図１３】視聴率データの暗号化システムの構成を示すブロツク図である。
【図１４】視聴率データの暗号化の説明に供する略線図である。
【符号の説明】
１……視聴率調査システム、２……放送事業者、３……通信衛星、５、５０……ＩＲＤ、７……公衆電話回線網、８……集計センタ、８Ｂ……視聴率データデコード部、８Ｃ……キー情報デコード部、８Ｄ……視聴率データ処理部、１０……電源回路、１１……フロントエンド部、１２……デマルチプレクサ、２２……ＣＰＵ、２２Ａ……乱数発生部、２２Ｂ……視聴率データエンコード部、２３……ＲＡＭ、２４……フラツシユメモリ、２６……モデム、２７……リモートコマンダ、２８……リモコン信号受光部、１５１……ＩＥＥＥ１３９４インターフエース、１５２……光磁気記録再生装置、１５３……デイジタルビデオテープレコーダ、１５４……ハードデイスクレコーダ、１５５……デイジタルテレビジヨン装置、ＢＵＳ……ＩＥＥＥ１３９４データバス。
【図１】
0004164709.tif 000002
【図２】
0004164709.tif 000003
【図３】
0004164709.tif 000004
【図４】
0004164709.tif 000005
【図５】
0004164709.tif 000006
【図６】
0004164709.tif 000007
【図９】
0004164709.tif 000008
【図７】
0004164709.tif 000009
【図８】
0004164709.tif 000010
【図１０】
0004164709.tif 000011
【図１１】
0004164709.tif 000012
【図１２】
0004164709.tif 000013
【図１３】
0004164709.tif 000014
【図１４】
0004164709.tif 000015